(57)【要約】【課題】衣類の収容室へのスチームの供給を良好に行え得る衣類処理装置を提供する。【解決手段】衣類処理装置１は、収容室２００の底面の中央部に、互いに隣接するように設けられた第１供給口２１０および第２供給口２２０と、第１供給口２１０に繋がる第１供給ダクトを通じて温風およびオゾンを収容室２００内に供給する第１供給ユニットと、第２供給口２２０に繋がる第２供給ダクトを通じてスチームを収容室２００内に供給する第２供給ユニットと、を備える。また、衣類処理装置１は、第１供給口２１０および第２供給口２２０の上方を覆い、第１供給口２１０から排出された温風およびオゾンを第１供給口２１０の周囲に拡げ、第２供給口２２０から排出されたスチームを第２供給口２２０の周囲に拡げるカバー２４０を備える。【選択図】図４
2020103366.tif 000002
【特許請求の範囲】
【請求項１】
衣類が収容される収容室と、
前記収容室の底面の中央部に、互いに隣接するように設けられた第１供給口および第２供給口と、
前記第１供給口に繋がる第１供給ダクトを通じて温風およびオゾンを前記収容室内に供給する第１供給部と、
前記第２供給口に繋がる第２供給ダクトを通じてスチームを前記収容室内に供給する第２供給部と、
を備えることを特徴とする衣類処理装置。
【請求項２】
請求項１に記載の衣類処理装置において、
前記第１供給口および前記第２供給口の上方を覆い、前記第１供給口から排出された温風およびオゾンを前記第１供給口の周囲に拡げ、前記第２供給口から排出されたスチームを前記第２供給口の周囲に拡げるカバーを、さらに備える、
ことを特徴とする衣類処理装置。
【請求項３】
請求項２に記載の衣類処理装置において、
前記カバーには、前記第１供給口および前記第２供給口の周囲に排出孔が設けられる、
ことを特徴とする衣類処理装置。
【請求項４】
請求項２または３に記載の衣類処理装置において、
前記カバーの外周縁と前記収容室との間に隙間が設けられる、
ことを特徴とする衣類処理装置。
【請求項５】
請求項２ないし４の何れか一項に記載の衣類処理装置において、
前記第１供給口および前記第２供給口は、それぞれ、上方から見て互いに反対方向に湾曲する円弧状部を有する、
ことを特徴とする衣類処理装置。
【発明の詳細な説明】
【技術分野】
【０００１】
本発明は、衣類に脱臭、しわ伸ばし等の処理を施す衣類処理装置に関する。
【背景技術】
【０００２】
従来、衣類が収容される袋体と、オゾンを含む空気を袋体内に供給するオゾン供給装置とを備えた衣類脱臭装置が知られている（特許文献１参照）。
【０００３】
特許文献１の衣類脱臭装置では、オゾン供給装置が加熱器を備えることにより、導入ダクトを通じて袋体内にオゾンの他、温風を供給することができ、衣類の乾燥を行うことができる。さらに、上記の衣類脱臭装置には、オゾン供給装置とは別に、スチームを発生させるスチーム発生装置を設けることができる。スチーム発生装置のスチーム供給ダクトは、オゾン供給装置の導入ダクトに繋がる。スチームは、スチーム供給ダクトおよび導入ダクトを通じて袋体内に供給される。これにより、スチームが有する熱と水分により衣類のしわが伸ばされる。
【先行技術文献】
【特許文献】
【０００４】
【特許文献１】特開２０１８−０５７４１３号公報
【発明の概要】
【発明が解決しようとする課題】
【０００５】
上記の衣類脱臭装置では、スチームが導入ダクトを通じて袋体内に供給される構成であるので、何らかの要因で導入ダクトの出口に詰まりなどが生じてスチームが排出されにくくなると、チームがオゾン供給装置に逆流してしまい、オゾン発生器や加熱器が濡れてしまうなど、オゾン供給装置に悪影響が及ぼされる、ということが懸念される。
【０００６】
そこで、本発明は、衣類の収容室へのスチームの供給を良好に行え得る衣類処理装置を提供することを目的とする。
【課題を解決するための手段】
【０００７】
本発明の主たる態様に係る衣類処理装置は、前記収容室の底面の中央部に、互いに隣接するように設けられた第１供給口および第２供給口と、前記第１供給口に繋がる第１供給ダクトを通じて温風およびオゾンを前記収容室内に供給する第１供給部と、前記第２供給口に繋がる第２供給ダクトを通じてスチームを前記収容室内に供給する第２供給部と、を備える。
【０００８】
上記の構成によれば、第１供給部から収容室内に温風を供給することにより、収容室内の衣類を乾燥でき、第１供給部から収容室内にオゾンを供給することにより、収容室内の衣類を脱臭できる。また、第２供給部から収容室内にスチームを供給することにより、収容室内の衣類のしわを伸ばすことができる。
【０００９】
しかも、スチームを収納室への供給するための第２供給口および第２供給ダクトは、温風およびオゾンを供給するための第１供給口および第２供給ダクトと別に設けられているので、オゾンおよび温風が流れるダクトにスチームを流して、そのダクトから収容室にスチームを供給するような従来の構成と違って、ダクトの出口に詰まりなどが生じてスチームが排出されにくくなると、スチームが温風およびオゾンの供給部に逆流してしまう、というようなことが懸念されない。
【００１０】
さらに、第１供給口と第２供給口は、収容室内の中央部に、互いに隣接するように配されているので、温風、オゾンおよびスチームを、収容室の底面の中央部から収容室内に排出でき、収容室内での温風、オゾンおよびスチームの供給の片寄りを生じにくくできる。
【００１１】
本態様に係る衣類処理装置において、前記第１供給口および前記第２供給口の上方を覆い、前記第１供給口から排出された温風およびオゾンを前記第１供給口の周囲に拡げ、前記第２供給口から排出されたスチームを前記第２供給口の周囲に拡げるカバーを、さらに備えるような構成が採られ得る。
【００１２】
上記の構成によれば、温風、オゾンおよびスチームが、収容室内において、底面の中央部から周囲に拡がって上方へと流れるので、衣類に均等に当たりやすくなる。これにより、乾燥ムラ、脱臭ムラ、しわの伸ばしムラ等を低減できる。
【００１３】
上記の構成とされた場合、さらに、前記カバーには、前記第１供給口および前記第２供給口の周囲に排出孔が設けられ得る。
【００１４】
このような構成とされれば、カバーに当たって周囲に拡がった温風、オゾンおよびスチームが排出孔から排出されて収容室の上方へと流れる。これにより、温風、オゾンおよびスチームが拡散して衣類に均等に当たりやすくなる。しかも、排出孔は第１供給口および第２供給口の真上の位置に存在しないので、排出孔に異物が侵入しても、その異物が第１供給口および第２供給口へは侵入しにくい。
【００１５】
上記のように前記カバーが備えられる構成とされた場合、さらに、前記カバーの外周縁と前記収容室との間に隙間が設けられ得る。
【００１６】
このような構成とされれば、カバーに当たって周囲に拡がった温風、オゾンおよびスチームがカバーの外周縁と収容室との間の隙間から排出されて収容室の上方へと流れる。これにより、温風、オゾンおよびスチームが拡散して衣類に均等に当たりやすくなる。
【００１７】
上記のように前記カバーが備えられる構成とされた場合、さらに、前記第１供給口および前記第２供給口は、それぞれ、上方から見て互いに反対方向に湾曲する円弧状部を有するような構成とされ得る。
【００１８】
このような構成とされれば、上方から見たときに、第１供給口と第２供給口とを合わせた形状が円形に近い形状となるようにできるので、カバーによって２つの供給口を一度に覆いやすい。
【発明の効果】
【００１９】
本発明によれば、衣類の収容室へのスチームの供給を良好に行え得る衣類処理装置を提供できる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】図１（ａ）は、実施の態様に係る、衣類処理装置の正面図であり、図１（ｂ）は、実施の態様に係る、衣類処理装置の右側面図である。
【図２】図２は、実施の態様に係る、第１供給ユニットの位置で切断した、衣類処理装置の正面断面図である。
【図３】図３は、実施の態様に係る、第２供給ユニットの位置で切断した、衣類処理装置の正面断面図である。
【図４】図４（ａ）および（ｂ）は、実施の態様に係る、排気フィルタユニットの位置で切断した、衣類処理装置の平面断面図である。
【図５】図５は、実施の形態に係る、第１供給ユニットの吸気ダクトの位置で切断した、衣類処理装置の要部の側面断面図である。
【発明を実施するための形態】
【００２２】
以下、本発明の実施の形態について、図面を参照して説明する。
【００２３】
図１（ａ）は、衣類処理装置１の正面図であり、図１（ｂ）は、衣類処理装置１の右側面図である。図２は、第１供給ユニット３００の位置で切断した、衣類処理装置１の正面断面図である。図２では、第２供給ユニット４００の図示が省略されている。図３は、第２供給ユニット４００の位置で切断した、衣類処理装置１の正面断面図である。図４（ａ）および（ｂ）は、排気フィルタユニット２７０の位置で切断した、衣類処理装置１の平面断面図である。図４（ｂ）では、カバー２４０が取り外されている。図５は、第１供給ユニット３００の吸気ダクト３５０の位置で切断した、衣類処理装置１の要部の側面断面図である。なお、図２には、オゾンを含む空気および温風の流れが実線矢印で示されている。また、図３には、スチームの流れが実線矢印で示されており、結露水の流れが破線矢印で示されている。さらに、図５には、外部の空気の流れが実線矢印で示されている。
【００２４】
衣類処理装置１は、縦長の直方体形状を有する筐体１００を備える。筐体１００の外底面には、４つの角部に脚１１０が設けられる。筐体１００の内部には、スーツ、コート等の各種の衣類が収容される収容室２００が配される。収容室２００は、縦長の直方体形状を有する。また、筐体１００の内部には、収容室２００の下方に、収容室２００に温風とオゾンとを供給可能な第１供給ユニット３００と、収容室２００にスチームを供給可能な第２供給ユニット４００とが配される。第１供給ユニット３００は、本発明の第１供給部に相当し、第２供給ユニット４００は、本発明の第２供給部に相当する。
【００２５】
収容室２００の前面は、衣類の投入口２０１として開口する。筐体１００の前面は、投入口２０１に対応する部分が開口する。筐体１００の前面には、ドア５００が設けられる。ドア５００は、筐体１００の前面とほぼ同じ大きさを有する。投入口２０１がドア５００により覆われる。ドア５００の右端部は図示しないヒンジ部により筐体１００と連結されており、ヒンジ部を支点にしてドア５００を前方へ開くことができる。
【００２６】
図２、図４（ａ）および（ｂ）を参照し、収容室２００には、底面の中央部に、第１供給口２１０と第２供給口２２０が、互いに隣接するように設けられる。第１供給口２１０および第２供給口２２０は、両側に直線部分を有するほぼ半円形の筒状を有する。第１供給口２１０の円弧状部２１１と第２供給口２２０の円弧状部２２１は、上方から見て、互いに反対方向に湾曲する。これにより、第１供給口２１０と第２供給口２２０とを合わせた形状が、図４（ａ）の一点鎖線のような円形に近い形状となる。第１供給口２１０と第２供給口２２０との間には僅かに隙間が設けられており、この隙間に取付穴２３１を有する取付ボス２３０が設けられる。
【００２７】
第１供給口２１０および第２供給口２２０の上方には、これらを覆うように、カバー２４０が配置される。カバー２４０は、円盤状の天面部２４１と、天面部２４１の周縁から下斜め方向に延びる周面部２４２とを含む。天面部２４１は、第１供給口２１０と第２供給口２２０とを合わせた大きさよりも大きい。天面部２４１の裏面中央には、下方に突出する軸２４３が形成される。カバー２４０の天面部２４１と第１供給口２１０および第２供給口２２０との間に所定の隙間ができるように、軸２４３が取付ボス２３０の取付穴２３１に取り付けられる。カバー２４０の周面部２４２には、全周に亘って、複数の排出孔２４４が形成される。排出孔２４４は、カバー２４０の径方向に長い方形状を有し、第１供給口２１０および第２供給口２２０の周囲、即ち、カバー２４０における第１供給口２１０および第２供給口２２０の投影領域よりも外側に位置する。カバー２４０の外周縁と収容室２００の底面との間には、所定の隙間が設けられる。
【００２８】
収容室２００の天面には、左右における中央部に、ハンガー台２５０が設けられる。ハンガー台２５０は、前後方向に延びるポール２５１と、ポール２５１の前後の端部を収容室２００の天面から支持する支持板２５２とを含む。衣類が掛けられたハンガーが、ハンガー台２５０のポール２５１に掛けられる。
【００２９】
収容室２００の後面には、上部に排気口２０２が形成される。本実施の形態では、排気口２０２が収容室２００の後面の右端部に設けられているが、中央部や左端部に設けられてもよい。排気口２０２には排気ダクト２６０が繋がっており、排気ダクト２６０は筐体１００の後面から外部に露出する。
【００３０】
排気口２０２には、着脱可能に排気フィルタユニット２７０が装着される。排気フィルタユニット２７０は、オゾン除去フィルタ２７１と、オゾン除去フィルタ２７１が収容されるフィルタカバー２７２とを含む。オゾン除去フィルタ２７１には、活性炭・触媒フィルタが用いられ得る。フィルタカバー２７２には、複数の排気窓２７３が設けられる。
【００３１】
図２および図５を参照し、第１供給ユニット３００は、第１供給ダクト３１０と、オゾン発生器３２０と、加熱器３３０と、送風ファン３４０と、吸気ダクト３５０と、オゾン除去フィルタ３６０とを含む。
【００３２】
第１供給ダクト３１０は、その導入口３１１が送風ファン３４０の吐出口３４２に接続され、その導出口３１２が第１供給口２１０の入口に接続される。第１供給ダクト３１０内の導入口３１１の近傍にオゾン発生器３２０が配置される。第１供給ダクト３１０は、導入口３１１から左方に延び、オゾン発生器３２０の配置位置を過ぎた部分から右方に折り返されるように湾曲した後、上方に延びて第１供給口２１０へと至るような形状を有する。
【００３３】
オゾン発生器３２０は、放電方式のオゾン発生器であり、一対の電極間にコロナ放電、無声放電等の放電を生じさせ、一対の電極間に通された空気からオゾンを生成する。加熱器３３０は、第１供給ダクト３１０内において、オゾン発生器３２０よりも第１供給口２１０側に配置され、第１供給ダクト３１０内を流れる空気を加熱する。加熱器３３０として、たとえば、ＰＴＣヒータを用いることができる。
【００３４】
送風ファン３４０は、遠心ファンであり、側面に吸込口３４１が設けられ、周面に吐出口３４２が設けられる。送風ファン３４０は、吸込口３４１から空気を取り込み、取り込んだ空気を第１供給ダクト３１０内のオゾン発生器３２０へ送る。送風ファン３４０として、遠心ファン以外のファン、たとえば、軸流ファンが用いられても良い。
【００３５】
筐体１００の正面には、送風ファン３４０の吸込口３４１と対向する位置に吸気口１０１が形成される。吸気口１０１と吸込口３４１との間に吸気ダクト３５０が設けられる。
【００３６】
吸気ダクト３５０は、前面が開口するフィルタケース３５１と、フィルタケース３５１から後方へ延びる接続ダクト３５２とを含む。フィルタケース３５１は、筐体１００の吸気口１０１に接続される。接続ダクト３５２は、送風ファン３４０の吸込口３４１に接続される。接続ダクト３５２は、連通孔３５３によりフィルタケース３５１と繋がる。
【００３７】
オゾン除去フィルタ３６０は、フィルタケース３５１内に収容される。オゾン除去フィルタ３６０には、オゾン除去フィルタ２７１と同様、活性炭・触媒フィルタが用いられ得る。なお、吸気口１０１には、吸気口１０１から取り込まれる空気に含まれる埃などを除去するダストフィルタ１２０が設けられる。
【００３８】
ドア５００には、後面における筐体１００の吸気口１０１に対応する位置に複数の通気孔５０１が形成され、底面に空気の取込口５０２が形成される。ドア５００の内部では、取込口５０２と複数の通気孔５０１とが連通する。送風ファン３４０が動作したとき、外部の空気は、取込口５０２、通気孔５０１および吸気口１０１を通じて吸気ダクト３５０内に取り込まれる。
【００３９】
図３を参照し、第２供給ユニット４００は、第２供給ダクト４１０と、スチーム発生装置４２０と、排水装置４３０とを含む。第２供給ダクト４１０は、下部が右方に膨らんだ形状を有する。第２供給ダクト４１０には、上端部に第２供給口２２０の入口に接続される導出口４１１が設けられる。また、第２供給ダクト４１０には、下部の右側面に導入口４１２が設けられる。さらに、第２供給ダクト４１０には、導入口４１２の下方に、その底部を導入口４１２の位置よりも低くすることにより、貯水部４１３が設けられる。貯水部４１３の底面には、排出口４１４が設けられる。
【００４０】
スチーム発生装置４２０は、給水タンク４４０と、給水槽４５０と、ポンプモジュール４６０と、スチーム発生器４７０とを含む。給水タンク４４０には、スチーム発生器４７０に供給される水が溜められる。給水タンク４４０は、筐体１００内において、図示しない給水タンク設置部に着脱可能に設置される。給水タンク４４０が給水タンク設置部に設置されると、その供給口４４１が上方から給水槽４５０の入口４５１に接続される。供給口４４１には開閉弁４４２が設けられ、供給口４４１が入口４５１に接続されると、開閉弁４４２が開いて給水タンク４４０から給水槽４５０に水が供給され、給水槽４５０内全体が水で満たされる。
【００４１】
ポンプモジュール４６０は、ポンプ４６１と、接続ホース４６２と、給水ホース４６３とを含む。ポンプ４６１の吸込口は、接続ホース４６２により給水槽４５０の出口４５２に接続される。ポンプ４６１の吐出口には、給水ホース４６３が接続される。ポンプ４６１は、給水槽４５０内の水を、接続ホース４６２を通じて吸い上げ、給水ホース４６３を通じてスチーム発生器４７０に送る。
【００４２】
スチーム発生器４７０は、本体部４７１と、ヒータ４７２とを含み、第２供給ダクト４１０の導入口４１２に、図示しない断熱部材を介して装着される。本体部４７１は、アルミダイカスト等の金属材料で形成され、内部にスチーム発生室４７３を有する。また、本体部４７１には、スチーム発生室４７３の上方に、給水ホース４６３が接続される給水口４７４が設けられ、スチーム発生室４７３の右方に、第２供給ダクト４１０内に繋がる放出口４７５が設けられる。ヒータ４７２は、本体部４７１に埋め込まれる。
【００４３】
本体部４７１は、ヒータ４７２により加熱されて高温となる。ポンプ４６１により送られた水がスチーム発生室４７３の底面に滴下し蒸発することで高温のスチームが発生する。発生したスチームは、放出口４７５を通じて第２供給ダクト４１０内へ放出される。
【００４４】
排水装置４３０は、排水タンク４８０と、排水ホース４９０とを含む。排水ホース４９０は、上端部に第２供給ダクト４１０の排出口４１４に接続される接続口４９１を有する。接続口４９１には、排出口４１４を塞ぐようにして抵抗板４９２が配置される。抵抗板４９２は、例えば、金属製の目の細かな網板であり、脱臭・除菌運転時に収容室２００内に供給されたオゾンが排水ホース４９０を通じて筐体１００の内部に漏れにくくするためのものである。
【００４５】
排水タンク４８０は、第２供給ダクト４１０内で発生した結露水を回収するための容器である。排水タンク４８０は、筐体１００内において、図示しない排水タンク設置部に着脱可能に設置される。排水タンク４８０が排水タンク設置部に設置されると、その入口４８１が、排水ホース４９０の下端の真下に位置づけられる。
【００４６】
筐体１００の前面には、筐体１００内に設置された給水タンク４４０および排水タンク４８０の正面位置に、これらタンク４４０、４８０の出入口１０２が設けられている。出入口１０２は、開閉可能な蓋１０３で覆われる（図１参照）。ユーザは、ドア５００を開いて蓋１０３を開けることにより、筐体１００内に対して給水タンク４４０および排水タンク４８０を出し入れできる。
【００４７】
本実施の形態の衣類処理装置１では、衣類の脱臭・除菌を行う脱臭・除菌運転と、衣類の乾燥を行う乾燥運転と、衣類のしわを伸ばすしわ伸ばし運転とを行うことができる。
【００４８】
脱臭・除菌運転では、第１供給ユニット３００において、送風ファン３４０とオゾン発生器３２０が動作する。図５に示すように、外部の空気が吸気口１０１から吸気ダクト３５０に取り込まれ、フィルタケース３５１内のオゾン除去フィルタ３６０により空気に含まれたオゾンが除去される。オゾンが除去された空気が送風ファン３４０により第１供給ダクト３１０内に送り込まれる。
【００４９】
図２に示すように、第１供給ダクト３１０内を流れる空気がオゾン発生器３２０を通過し、この際に、オゾン発生器３２０で発生したオゾンが空気に混入される。こうして、オゾンを含む空気が第１供給ダクト３１０内を通って第１供給口２１０へと至り、第１供給口２１０から収容室２００内に排出される。排出されたオゾンを含む空気は、カバー２４０に当たって周囲に拡がり、その一部は、複数の排出孔２４４から排出され、残りがカバー２４０と収容室２００の底面との間から排出される。こうして、オゾンを含む空気は、カバー２４０により拡散されて上方の衣類へと向かい、広く衣類に当てられる。オゾンの脱臭・除菌作用により衣類が脱臭・除菌される。
【００５０】
衣類の脱臭・除菌によりオゾン濃度が低下した空気は、収容室２００の上部に設けられた排気フィルタユニット２７０のオゾン除去フィルタ２７１と排気口２０２とを通って筐体１００の外へ排出される。オゾン除去フィルタ２７１により空気中のオゾンが除去される。
【００５１】
乾燥運転では、第１供給ユニット３００において、送風ファン３４０と加熱器３３０が動作する。図２に示すように、送風ファン３４０により取り込まれ第１供給ダクト３１０内を流れる空気は、加熱器３３０で加熱され、乾燥に適する温度（たとえば、６０℃程度）の温風となる。その後、温風は、第１供給口２１０へと至り、第１供給口２１０から収容室２００内に排出される。排出された温風は、オゾンを含む空気と同様、カバー２４０により拡散されて上方の衣類へと向かい、広く衣類に当てられる。これにより、衣類が乾燥する。衣類から水分を奪った温風は、排気口２０２を通って外部に排出される。
【００５２】
しわ伸ばし運転では、まず、第２供給ユニット４００において、スチーム発生器４７０、即ちヒータ４７２とポンプ４６１が動作する。図３に示すように、スチーム発生器４７０で高温のスチームが発生し、第２供給ダクト４１０内に放出される。放出されたスチームは、第２供給ダクト４１０内を上昇して第２供給口２２０へと至り、第２供給口２２０から収容室２００内に排出される。排出されたスチームは、カバー２４０に当たって周囲に拡がり、その一部は、複数の排出孔２４４から排出され、残りがカバー２４０と収容室２００の底面との間から排出される。こうして、スチームは、カバー２４０により拡散されて上方の衣類へと向かい、広く衣類に当てられる。スチームが有する水分と熱により、衣類のしわが伸ばされる。
【００５３】
スチームが第２供給ダクト４１０内を流れる際、その一部が結露して結露水が生じ得る。結露水は、下方へ流れて貯水部４１３に溜まり、排出口４１４から排出される。排出された結露水は、排水ホース４９０を通って排水タンク４８０に回収される。このように、本実施の形態では、第２供給ダクト４１０の導入口４１２よりも下方に、結露水が溜められる貯水部４１３が設けられているので、結露水が導入口４１２からスチーム発生器４７０の内部へと流れることが防止される。
【００５４】
所定の時間、収容室２００内の衣類にスチームが供給された後に、ヒータ４７２とポンプ４６１が停止する。その後、第１供給ユニット３００において、送風ファン３４０と加熱器３３０が動作し、乾燥運転と同様、衣類に温風が当てられる。これにより、スチームによって湿った衣類が乾燥する。
【００５５】
なお、衣類処理装置１において、脱臭・除菌運転、乾燥運転、しわ伸ばし運転の他、たとえば、乾燥に続いて脱臭・除菌が行われる乾燥・脱臭・除菌運転が行われてもよい。
【００５６】
＜実施の形態の効果＞
以上、本実施の形態によれば、第１供給ユニット３００から収容室２００内に温風を供給することにより、収容室２００内の衣類を乾燥でき、第１供給ユニット３００から収容室２００内にオゾンを供給することにより、収容室２００内の衣類を脱臭・除菌できる。また、第２供給ユニット４００から収容室２００内にスチームを供給することにより、収容室２００内の衣類のしわを伸ばすことができる。
【００５７】
しかも、スチームを収容室２００への供給するための第２供給口２２０および第２供給ダクト４１０は、温風およびオゾンを供給するための第１供給口２１０および第１供給ダクト３１０と別に設けられているので、オゾンおよび温風が流れるダクトにスチームを流して、そのダクトから収容室にスチームを供給するような従来の構成と違って、ダクトの出口に詰まりなどが生じてスチームが排出されにくくなるとスチームが温風およびオゾンの供給ユニットに逆流してしまう、というようなことが懸念されない。
【００５８】
さらに、第１供給口２１０と第２供給口２２０は、収容室２００内の中央部に、互いに隣接するように配されているので、温風、オゾンおよびスチームを、収容室２００の底面の中央部から収容室２００内に排出でき、収容室２００内での温風、オゾンおよびスチームの供給の片寄りを生じにくくできる。
【００５９】
さらに、収容室２００内には、第１供給口２１０および第２供給口２２０の上方を覆い、第１供給口２１０から排出された温風およびオゾンを第１供給口２１０の周囲に拡げ、第２供給口２２０から排出されたスチームを第２供給口２２０の周囲に拡げるカバー２４０が設けられている。これにより、温風、オゾンおよびスチームが、収容室２００内において、底面の中央部から周囲に拡がって上方へと流れるので、衣類に均等に当たりやすくなる。これにより、乾燥ムラ、脱臭・除菌ムラ、しわの伸ばしムラ等を低減できる。
【００６０】
さらに、カバー２４０には、第１供給口２１０および第２供給口２２０の周囲に複数の排出孔２４４が設けられるので、カバー２４０に当たって周囲に拡がった温風、オゾンおよびスチームが排出孔２４４から排出されて収容室２００の上方へと流れる。これにより、温風、オゾンおよびスチームが拡散して衣類に均等に当たりやすくなる。しかも、排出孔２４４は第１供給口２１０および第２供給口２２０の真上の位置に存在しないので、排出孔２４４に異物が侵入しても、その異物が第１供給口２１０および第２供給口２２０へは侵入しにくい。
【００６１】
さらに、カバー２４０の外周縁と収容室２００との間に隙間が設けられるので、カバー２４０に当たって周囲に拡がった温風、オゾンおよびスチームがカバー２４０の外周縁と収容室２００との間の隙間から排出されて収容室２００の上方へと流れる。これにより、温風、オゾンおよびスチームが拡散して衣類に均等に当たりやすくなる。
【００６２】
さらに、第１供給口２１０および第２供給口２２０は、それぞれ、上方から見て互いに反対方向に湾曲する円弧状部２１１、２２１を有する。これにより、上方から見たときに、第１供給口２１０と第２供給口２２０とを合わせた形状が円形に近い形状となるようにできるので、カバー２４０によって２つの供給口２１０、２２０を一度に覆いやすい。
【００６３】
以上、本発明の実施の形態について説明したが、本発明は、上記実施の形態によって何ら制限されるものではなく、また、本発明の実施の形態も、上記以外に種々の変更が可能である。
【００６４】
たとえば、上記実施の形態では、第２供給ユニット４００のスチーム発生器４７０は、高温にされたスチーム発生室４７３の底面にポンプ４６１で送られた水を落として蒸発させることによりスチームを発生させる構成であった。しかしながら、スチーム発生器４７０は、上記の構成に限られるものではなく、たとえば、水が溜められた水槽を加熱して水を沸騰させることによりスチームを発生させる構成であってもよい。
【００６５】
また、上記実施の形態では、第１供給口２１０および第２供給口２２０の形状が、両側に直線部分を有するほぼ半円形の筒状とされた。しかしながら、第１供給口２１０および第２供給口２２０は、上記の形状以外の形状であってもよく、たとえば、円筒状や角筒状であってもよい。また、カバー２４０も、温風、オゾンおよびスチームを周囲に拡げることができれば、上記実施の形態の構成以外の構成とされてよい。
【００６６】
この他、本発明の実施の形態は、特許請求の範囲に示された技術的思想の範囲内において、適宜、種々の変更が可能である。
【符号の説明】
【００６７】
１  衣類処理装置
２００  収容室
２１０  第１供給口
２１１  円弧状部
２２０  第２供給口
２２１  円弧状部
２４０  カバー
２４４  排出孔
３００  第１供給ユニット（第１供給部）
３１０  第１供給ダクト
４００  第２供給ユニット（第２供給部）
４１０  第２供給ダクト
【図１】
2020103366.tif 000003
【図２】
2020103366.tif 000004
【図３】
2020103366.tif 000005
【図４】
2020103366.tif 000006
【図５】
2020103366.tif 000007